(57)【要約】【課題】同じ相手先の宛先情報を１つの短縮番号又はワンタッチキーにまとめて登録することを可能とする通信装置を提供すること。【解決手段】複数の通信プロトコルにより通信を行う手段と、相手先のＩＰアドレスを指定する宛先情報指定手段と、を備える通信装置において、使用する通信プロトコルを指定する通信プロトコル指定手段と、指定された通信プロトコルに応じた付加情報の指定画面２３乃至２５を表示する表示手段と、指定画面２３乃至２５を通じて指定された付加情報に基づいて、指定された通信プロトコルによって、指定されたＩＰアドレスの相手先と通信を行う手段と、を備える通信装置１。【選択図】      図３
2004364218.tif 000002
【特許請求の範囲】
【請求項１】
複数の通信プロトコルにより通信を行う手段と、相手先の宛先情報を指定する宛先情報指定手段と、を備える通信装置において、
使用する通信プロトコルを指定する通信プロトコル指定手段と、該手段により指定された通信プロトコルに応じた付加情報の指定画面を表示する表示手段と、該指定画面を通じて指定された付加情報に基づいて、前記通信プロトコル指定手段により指定された通信プロトコルによって、前記宛先情報指定手段により指定された宛先情報の相手先と通信を行う手段と、を備えることを特徴とする通信装置。
【請求項２】
前記宛先情報は、ＩＰアドレスであることを特徴とする請求項１記載の通信装置。
【請求項３】
前記付加情報は、送信する画データのフォーマットに関する情報であることを特徴とする請求項１記載の通信装置。
【発明の詳細な説明】
【０００１】
【発明の属する技術分野】
本発明は、ファクシミリ通信、インターネットファクシミリ通信、ＨＴＴＰ（Ｈｙｐｅｒｔｅｘｔ  Ｔｒａｎｓｆｅｒ  Ｐｒｏｔｏｃｏｌ）通信など複数の通信プロトコルにより通信を行うことが可能な通信装置に関する。
【０００２】
【従来の技術】
近年、ファクシミリ通信、インターネットファクシミリ通信、ＨＴＴＰ通信など、複数の通信プロトコルにより通信を行うことが可能な複合機型の通信装置が普及している。かかる通信装置により、原稿を相手先へ送信する場合は、オペレータにより相手先の宛先情報であるメールアドレス、ＵＲＬ（Ｕｎｉｆｏｒｍ  Ｒｅｓｏｕｒｃｅ  Ｌｏｃａｔｏｒｓ）、ファクシミリ番号等が指定され、通信装置は指定された宛先情報の記載形式から使用すべき通信プロトコル、ポート番号等を特定して送信処理を行う。
【０００３】
また、特許文献１に開示されている通信装置のように、短縮ダイヤル番号に宛先情報と使用する通信プロトコル（電子メール又はファクシミリ通信）を指定する情報を対応付けて登録しておき、送信操作時に短縮ダイヤル番号が指定されたときに、その短縮ダイヤル番号に対応付けられた通信プロトコルによって送信処理を行うものもある。
【０００４】
【特許文献１】
特開平１０−１２６６００号公報
【０００５】
【発明が解決しようとする課題】
ところが、複数の通信プロトコルにより通信を行うことが可能な相手先装置の宛先情報は、相手先装置が使用可能な通信プロトコルの数と同じだけあり、これらを短縮ダイヤル又はワンタッチダイヤルに登録すると、同じ相手先の宛先情報であるにもかかわらず、異なる短縮ダイヤル番号又はワンタッチキーに割り当てなければならなかった。
【０００６】
同じ相手先の宛先情報であるにもかかわらず異なるワンタッチキーや短縮番号が存在すれば、オペレータは、使用する度にワンタッチキーや短縮番号が何れの通信プロトコルによるものであるのかを確認する必要があり不便である。また、ワンタッチキーの数は、操作パネルの面積等により一定数に制限されるものであり、同じ相手先の宛先情報に複数のワンタッチキーを割り当てれば、他の相手先の宛先情報の登録ができなくなるという不都合も生じる。
【０００７】
本発明は、かかる課題に鑑みてなされたものであり、同じ相手先の宛先情報を１つの短縮番号又はワンタッチキーにまとめて登録することを可能とする通信装置を提供することを目的とする。
【０００８】
【課題を解決するための手段】
上記目的を達成するために、請求項１記載の通信装置は、複数の通信プロトコルにより通信を行う手段と、相手先の宛先情報を指定する宛先情報指定手段と、を備える通信装置において、使用する通信プロトコルを指定する通信プロトコル指定手段と、該手段により指定された通信プロトコルに応じた付加情報の指定画面を表示する表示手段と、該指定画面を通じて指定された付加情報に基づいて、前記通信プロトコル指定手段により指定された通信プロトコルによって、前記宛先情報指定手段により指定された宛先情報の相手先と通信を行う手段と、を備えることを特徴としている。
【０００９】
請求項２記載の通信装置は、請求項１記載の通信装置において、前記宛先情報は、ＩＰアドレスであることを特徴としている。
【００１０】
請求項３記載の通信装置は、請求項１記載の通信装置において、前記付加情報は、送信する画データのフォーマットに関する情報であることを特徴としている。
【００１１】
【発明の実施の形態】
以下本発明の実施の形態に係る通信装置について図面に基づいて説明する。図１に通信装置１の構成例を示す。すなわち、通信装置１は、ＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、表示部１０、操作部１１、及びＬＡＮインターフェース１２を備えたものであって、各部２乃至１２は通信可能にバス１３によって接続されている。
【００１２】
ＣＰＵ２は、ＲＯＭ４等に格納されたプログラムに従って、この通信装置１を構成する各部を制御する。ＲＡＭ３は、画データ、各種設定情報等を記憶する記憶部として機能する。ＲＯＭ４は、ＣＰＵ２によりこの通信装置１の各部の動作が制御されるための各種プログラムを記憶している。
【００１３】
コーデック５は、画データを送信のためにＭＨ、ＭＲ、ＭＭＲ方式等により符号化し、受信した画データを復号する。また、電子メール添付ファイル形式として一般的に利用されている画像フォーマットであるＴＩＦＦ（Ｔａｇｇｅｄ    Ｉｍａｇｅ    Ｆｉｌｅ    Ｆｏｒｍａｔ）形式にも対応して符号化、復号する。
【００１４】
モデム６は、例えばＩＴＵ−Ｔ（国際電気通信連合）の勧告Ｖ．３４規格又はこれと同様のものに従った送受信データの変調及び復調を行う。ＮＣＵ７は、電話回線を制御して電話をかけたり切ったりする回線網制御装置でありＰＳＴＮ（公衆交換電話網）１４に接続されている。
【００１５】
読取部８は、原稿の画データを読み取って、白黒２値化した画データを出力する。記録部３は、例えば電子写真方式のものからなり、受け取った画データ等を記録紙上に記録する。
【００１６】
表示部１０は、例えば操作部１１に並設されたＬＣＤ（Ｌｉｑｕｉｄ  Ｃｒｙｓｔａｌ  Ｄｉｓｐｌａｙ）からなり、各種の画面情報を表示する。操作部１１は、ファクシミリ番号、メールアドレス、サブアドレス、パスワード等の各種情報を入力する入力キー１１ａ、ワンタッチダイヤル機能により宛先情報を指定するための複数のワンタッチー１１ｂ、短縮ダイヤル機能により宛先情報を指定するための短縮キー１１ｃなどを具備する。オペレータによる各種操作はこの操作部１１から行われる。
【００１７】
ＬＡＮインターフェース１２は、ＬＡＮ（ローカル・エリア・ネットワーク）１５と通信装置１と通信可能に接続するインターフェースである。ＬＡＮ１５には、クライアントＰＣ１６が設置されており、クライアントＰＣ１６から通信装置１が有する各種機能を利用することができるようになっている。また、ＬＡＮ１５には、メールサーバ１７、ルータ１８等も設置されており、通信装置１は、メールサーバ１７、ルータ１８、インターネット等を通じて他の電子メール端末装置（不図示）とインターネットファクシミリ通信を行うことができる。
【００１８】
上記構成を備える通信装置１は、複数の通信プロトコルにより通信を行う手段として、Ｇ３ファクシミリ通信機能、インターネットファクシミリ（電子メール）通信機能、ＨＴＴＰ通信機能及びＳＩＰ（Ｓｅｓｓｉｏｎ  Ｉｎｉｔｉａｔｉｏｎ  Ｐｒｏｔｏｃｏｌ）通信機能を備えている。また、通信装置１は、ワンタッチダイヤル機能及び短縮ダイヤル機能を備えており、各ワンタッチキー１１ｂに対応する番号及び短縮番号は、図２に示すような、ワンタッチ／短縮ダイヤルテーブル１９に登録されている。
【００１９】
ワンタッチ／短縮ダイヤルテーブル１９は、「ワンタッチ／短縮」欄、「相手先名」欄、「ＩＰアドレス」欄で構成されており、各欄の情報は、同一レコードに格納されることにより相互に対応付けて記憶されている。「ワンタッチ／短縮」欄には、「Ａ０１、Ａ０２、・・・」等の各ワンタッチキーに対応するワンタッチダイヤル番号、「００１、００２・・・」等の短縮ダイヤル番号が格納されている。「相手先名」欄には、相手先の名称が登録されている。「ＩＰアドレス」欄には、相手先のＩＰアドレスが登録されている。
【００２０】
上記した構成及び複数の通信機能を備える通信装置１において、ユーザの送信操作にしたがって、送信処理が実行されるときの処理動作について、図３に示すフローチャートに基づいて説明する。なお、このフローチャートに基づいて説明する通信装置１の処理動作は、ＲＯＭ４に格納されている制御プログラムに基づいてＣＰＵ２が発行する命令に従って行われる。
【００２１】
オペレータにより読取部８に原稿がセットされ、操作部１１から相手先の宛先情報としてファクシミリ番号が指定されスタートキーの押下がされると（Ｓ１：ＮＯ）、読取部８にセットされた原稿の画データを読み取って、所定フォーマットの画データを生成し、Ｇ３ファクシミリ通信により、指定されたファクシミリ番号の相手先に画データを送信する（Ｓ２）。一方、操作部１１から相手先の宛先情報としてＩＰアドレスが直接入力指定され、又はワンタッチダイヤル若しくは短縮ダイヤルによりそのＩＰアドレスが間接的に指定されると（Ｓ１：ＹＥＳ）、通信装置１は、図４に示すような、通信プロトコル選択画面２１を表示部１０に表示して（Ｓ３）、オペレータに対して使用する通信プロトコルの選択指定を要求する。この通信プロトコル選択画面２１は、通信装置１で使用可能な通信プロトコルのうち、Ｇ３ファクシミリ通信を除く３つの通信プロトコル、つまり、インターネットファクシミリ通信、ＨＴＴＰ通信及びＳＩＰ通信を指定するためのボタン表示２１ａ乃至２１ｃをカーソルＣにより選択指定できるようになっており、何れかの通信プロトコルが指定されると（Ｓ４）、その通信プロトコルが使用する通信プロトコルとみなされる。なお、通信プロトコルの指定は、選択により行われるようになっているが、直接入力により行われるようにしてもよい。
【００２２】
通信プロトコル選択画面２１において、オペレータによりインターネットファクシミリ通信、ＨＴＴＰ通信又はＳＩＰ通信を指定するためのボタン表示２１ａ乃至２１ｃの何れかが選択指定されると、図５に示すような、選択された通信プロトコルに固有の付加情報の指定を受付ける画面２３、２４又は２５を表示する（Ｓ５）。ここで、付加情報とは、通信装置１が送信するに当たって必要な宛先情報以外の情報であって、各通信プロトコル毎に固有の情報である。例えば、インターネットファクシミリ通信が選択指定された場合は、図５（ａ）のインターネットファクシミリ通信用付加情報指定画面２３を通じて、ポート番号情報、電子メールに添付可能な送信する画データのフォーマット等の付加情報がオペレータによって入力指定若しくは選択指定される。また、ＨＴＴＰ通信が選択指定された場合は、図５（ｂ）のＨＴＴＰ通信用付加情報指定画面２４を通じて、認証用ＩＤ情報、パスワード情報、ポート番号情報、ＨＴＴＰ通信により送信可能な送信する画データのフォーマット等の付加情報がオペレータによって入力指定若しくは選択指定される。また、ＳＩＰ通信が選択指定された場合は、図５（ｃ）のＳＩＰ通信用付加情報指定画面２５を通じて、認証用ＩＤ情報、パスワード情報、ポート番号情報、ＳＩＰ接続上で使用する通信手順（プロトコル）、送信する画データのフォーマット等の付加情報がオペレータによって入力指定若しくは選択指定される。また、各プロトコルの付加情報指定画面には、オペレータの入力操作を簡略化するために、付加情報に応じて予め初期値が設定されていることが望ましい。
【００２３】
前記付加情報指定画面２３、２４又は２５を通じて各種の付加情報が指定されると（Ｓ６）、通信装置１は、読取部８にセットされた原稿の画データを読み取って、指定されたフォーマットの画データを生成し、前記Ｓ３で選択指定された通信プロトコルにより、前記Ｓ１で指定されたＩＰアドレスの相手先と、指定されたポート番号、ＩＤ、パスワードを使用して生成した画データを送信する（Ｓ７）。
【００２４】
以上の説明から明らかなように、本発明の実施の形態に係る通信装置１によれば、送信操作時に、相手先のＩＰアドレスのほか、使用する通信プロトコル、ポート番号等を指定するための画面２１乃至２５を通じて付加情報が指定される。そのため、相手先が複数の通信プロトコルにより通信を行うことが可能な装置であっても、当該相手先に割り当てるワンタッチキー１１ｂ又は短縮番号は１つで済み、なおかつ、何れの通信プロトコルでもワンタッチダイヤル又は短縮ダイヤルにより通信することが可能となる。したがって、ワンタッチキー１１ｂや短縮番号の数を減らすことが可能となる。また、送信する画データのフォーマットは、通信プロトコルを指定した後に表示される、各種の通信プロトコルに応じた付加情報指定画面２３、２４、２５において選択指定されるので、オペレータは、画データのフォーマットが使用する通信プロトコルに適応するものであるか否かに悩まされることなく、通信プロトコルに適応する画データのフォーマットを選択指定することができる。なお、例えばテーブル１９などにおいて、相手先のＩＰアドレス毎に利用可能な通信プロトコルを対応付けておいて、ＩＰアドレスが指定されると当該対応付けられた通信プロトコルを自動的に選択するようにしてもよい。
【００２５】
なお、本実施の形態においては、オペレータの送信操作は、操作部１１において行われる場合を例に挙げて説明したが、通信装置１が各種の通信サーバとして機能する場合も同様の処理動作を実行する。すなわち、通信装置１が各種の通信サーバとして機能する場合には、上記操作はクライアントＰＣ１６において行われ、表示部１０に表示される上記画面情報２１乃至２５は、クライアントＰＣ１６のモニタに表示され、クライアントＰＣ１６のキーボード等の入力手段を用いて上記した各種の情報の入力ないし選択指定がオペレータによりなされる。
【００２６】
【発明の効果】
請求項１又は２記載の通信装置によれば、同じ相手先に対して複数の通信プロトコルを利用する場合でも、当該相手先に割り当てて登録するワンタッチキー等は１つで済み、ワンタッチキー等の数を減らすことが可能となる。
【００２７】
請求項３記載の通信装置によれば、前記付加情報は、送信する画データのフォーマットに関する情報であるので、通信プロトコルに応じたフォーマットの指定が容易且つ確実に行われる。
【図面の簡単な説明】
【図１】本発明の実施の形態に係る通信装置の構成例及び該通信装置が設置されるネットワークの構成例を示した図である。
【図２】ワンタッチ／短縮ダイヤルテーブルの一例を示した図である。
【図３】本発明の実施の形態に係る通信装置において、ユーザの送信操作に従って送信処理が実行されるときの処理動作について示したフローチャートである。
【図４】通信プロトコル選択画面及び宛先不正警告画面の一例を示した図である。
【図５】インターネットファクシミリ通信用付加情報指定画面、ＨＴＴＰ通信用付加情報指定画面及びＳＩＰ通信用付加情報指定画面の一例を示した図である。
【符号の説明】
１  通信装置
２  ＣＰＵ
３  ＲＡＭ
４  ＲＯＭ
１０  表示部
１１ｂ  ワンタッチキー
２１  通信プロトコル選択画面
２３  インターネットファクシミリ通信用付加情報指定画面
２４  ＨＴＴＰ用付加情報指定画面
２５  ＳＩＰ通信用付加情報指定画面
【図１】
2004364218.tif 000003
【図２】
2004364218.tif 000004
【図３】
2004364218.tif 000005
【図４】
2004364218.tif 000006
【図５】
2004364218.tif 000007